(57)【要約】【課題】ハンドオーバ処理やＣＳＦＢ手順において、ハンドオーバ先のセルやＣＳＦＢ先のセルを特定しつつ遅延を防ぐ。【解決手段】セル＃１において接続中の移動局ＵＥは、セル＃１を管理する無線基地局ｅＮＢ＃１によって決定された測定用ギャップにおいて、セル＃２において繰り返し送信されている所定情報を受信するように構成されている受信部２１と、ＴＡタイマが満了するまでに、ＴＡコマンドを受信しない場合、上り同期が外れたものと判断するように構成されている上り同期管理部２４とを具備しており、測定用ギャップの長さは、所定周期以上で、かつ、ＴＡタイマが満了するまでの時間未満である。【選択図】図３
2011024144.tif 000002
【特許請求の範囲】
【請求項１】
第１セルにおいて接続中の移動局と、該第１セルを管理する第１無線基地局と、第２セルを管理する第２無線基地局とを具備している移動通信システムであって、
前記第１無線基地局及び前記第２無線基地局は、
所定周期で、配下のセルにおいて所定情報を繰り返し送信するように構成されている送信部を具備し、
前記第１無線基地局は、
前記移動局における測定用ギャップを決定するように構成されている測定用ギャップ決定部を具備し、
前記移動局は、
前記測定用ギャップにおいて、前記第２セルにおいて繰り返し送信されている所定情報を受信するように構成されている受信部と、
所定タイマが満了するまでに、タイミング調整情報を受信しない場合、上り同期が外れたものと判断するように構成されている上り同期管理部とを具備しており、
前記測定用ギャップの長さは、前記所定周期以上で、かつ、前記所定タイマが満了するまでの時間未満であることを特徴とする移動通信システム。
【請求項２】
前記受信部は、前記測定用ギャップにおいて、前記第２セルにおいて繰り返し送信されている報知情報を受信するように構成されており、
前記移動局は、前記報知情報に含まれているセルＩＤを含む測定報告を、前記第１無線基地局に対して送信するように構成されている送信部を更に具備することを特徴とする請求項１に記載の移動通信システム。
【請求項３】
前記移動局は、前記受信部によって受信された報知情報に基づいて、該移動局の前記第２セルに対するアクセス権の有無を判定するように構成されている判定部を更に具備し、
前記送信部は、前記アクセス権の有無を示す情報を含む測定報告を、前記第１無線基地局に対して送信するように構成されていることを特徴とする請求項２に記載の移動通信システム。
【請求項４】
前記移動局は、前記測定用ギャップにおいて、前記受信部によって受信された情報に基づいて、前記第２セルにおける無線品質を測定するように構成されている測定部と、
前記測定結果を含む測定報告を、前記第１無線基地局に対して送信するように構成されている送信部とを更に具備することを特徴とする請求項１に記載の移動通信システム。
【請求項５】
第１セルにおいて接続中の移動局であって、
前記第１セルを管理する第１無線基地局によって決定された測定用ギャップにおいて、第２セルにおいて繰り返し送信されている所定情報を受信するように構成されている受信部と、
所定タイマが満了するまでに、タイミング調整情報を受信しない場合、上り同期が外れたものと判断するように構成されている上り同期管理部とを具備しており、
前記測定用ギャップの長さは、前記所定周期以上で、かつ、前記所定タイマが満了するまでの時間未満であることを特徴とする移動局。
【請求項６】
前記受信部は、前記測定用ギャップにおいて、前記第２セルにおいて繰り返し送信されている報知情報を受信するように構成されており、
前記報知情報に含まれているセルＩＤを含む測定報告を、前記第１無線基地局に対して送信するように構成されている送信部を更に具備することを特徴とする請求項５に記載の移動局。
【請求項７】
前記受信部によって受信された報知情報に基づいて、該移動局の前記第２セルに対するアクセス権の有無を判定するように構成されている判定部を更に具備し、
前記送信部は、前記アクセス権の有無を示す情報を含む測定報告を、前記第１無線基地局に対して送信するように構成されていることを特徴とする請求項６に記載の移動局。
【請求項８】
前記測定用ギャップにおいて、前記受信部によって受信された情報に基づいて、前記第２セルにおける無線品質を測定するように構成されている測定部と、
前記測定結果を含む測定報告を、前記第１無線基地局に対して送信するように構成されている送信部とを更に具備することを特徴とする請求項５に記載の移動局。
【請求項９】
所定周期で、配下のセルにおいて所定情報を繰り返し送信するように構成されている送信部と、
配下のセルにおいて接続中の移動局における測定用ギャップを決定するように構成されている測定用ギャップ決定部とを具備し、
前記測定用ギャップの長さは、前記所定周期以上で、かつ、前記移動局によって上り同期を維持するために用いられている所定タイマが満了するまでの時間未満であることを特徴とする無線基地局。
【請求項１０】
前記測定報告を開始する際に測定用ギャップを自律的に解放するように構成されていることを特徴とする請求項５に記載の移動局。
【発明の詳細な説明】
【技術分野】
【０００１】
本発明は、移動通信システム、移動局及び無線基地局に関する。
【背景技術】
【０００２】
３ＧＰＰで規定されている移動通信システム、例えば、ＬＴＥ（Ｌｏｎｇ  Ｔｅｒｍ  Ｅｖｏｌｕｔｉｏｎ）方式の移動通信システムでは、各セルの識別情報として、「ＰＣＩ（Ｐｈｙｓｉｃａｌ  Ｃｅｌｌ  Ｉｄｅｎｔｉｔｙ）」及び「ＣＧＩ（Ｃｅｌｌ  Ｇｌｏｂａｌ  Ｉｄｅｎｔｉｔｙ）」が用いられている。
【０００３】
ＬＴＥ方式の移動通信システムでは、接続中の移動局ＵＥは、周辺セルの測定を行い、周辺セルに関する測定報告（Ｍｅａｓｕｒｅｍｅｎｔ  Ｒｅｐｏｒｔ）を無線基地局ｅＮＢに対して送信し、かかる無線基地局ｅＮＢは、かかる測定報告に基づいてハンドオーバの是非を判定して、ハンドオーバ制御を行うことが想定されている。
【０００４】
しかしながら、「ＣＧＩ」は、ＬＴＥ方式の移動通信システム内で、一意にセルを特定することができる識別情報であるのに対して、「ＰＣＩ」は、ＷＣＤＭＡ方式の移動通信システムにおけるスクランブルコードに相当するものであり、複数のセルで繰り返し使用されるものである。すなわち、ＬＴＥ方式の移動通信システム内では、「ＰＣＩ」のみによって、一意にセルを特定することができない。
【０００５】
したがって、「ＰＣＩ」のみによってセルを特定すると、ハンドオーバ処理時等に、移動局ＵＥが認識するセルと無線基地局ｅＮＢが認識するセルとが異なってしまう可能性があるという問題点があった。
【０００６】
そのため、ＬＴＥ方式の移動通信システムでは、移動局ＵＥが、ハンドオーバ候補のセルにおいて送信されている報知情報（ＢＣＣＨ（Ｂｒｏａｄｃａｓｔ  Ｃｈａｎｎｅｌ）、ＭＩＢ（Ｍａｓｔｅｒ  Ｉｎｆｏｒｍａｔｉｏｎ  Ｂｌｏｃｋ）/ＳＩＢ（Ｓｙｓｔｅｍ  Ｉｎｆｏｒｍａｔｉｏｎ  Ｂｌｏｃｋ））を受信し、かかる報知情報に含まれる「ＣＧＩ」を含む測定報告を送信することが検討されている。
【０００７】
ここで、移動局ＵＥがハンドオーバ候補のセルにおいて送信されている報知情報を受信するには、接続中の無線基地局ｅＮＢと移動局ＵＥとの間で測定用ギャップ（Ｍｅａｓｕｒｅｍｅｎｔ  Ｇａｐ）が設けられている必要がある。
【０００８】
なお、無線基地局ｅＮＢに対する「ＣＧＩ」の報告が遅れると、ＲＬＦ（Ｒａｄｉｏ  Ｌｉｎｋ  Ｆａｉｌｕｒｅ）やハンドオーバ制御の失敗という事態が発生する恐れがある。
【０００９】
また、ＬＴＥ方式では、ＣＳ（Ｃｉｒｃｕｉｔ  Ｓｗｉｔｃｈｅｄ）サービスは提供されず、全てＰＳ（Ｐａｃｋｅｔ  Ｓｗｉｔｃｈｅｄ）サービスとなる。そこで、ＣＳサービスを提供するためには、ＣＳドメインをサポートする無線アクセス方式（例えば、ＵＭＴＳ方式やＧＳＭ方式）の無線基地局に、移動局ＵＥの接続を切り替える必要がある。この手順は、「ＣＳＦＢ」と呼ばれる。
【００１０】
ＬＴＥ方式の移動通信システムにおいて、ＣＳＦＢを行う場合、移動局ＵＥが、接続中の無線基地局ｅＮＢに対して、ハンドオーバ候補のセルの結果を含む測定報告を送信し、かかる無線基地局ｅＮＢが、かかる測定報告に基づいて、ハンドオーバ先のセルを決定し、かかるセルに対するＣＳＦＢ手順を実行することが想定される。異ＲＡＴ（Ｒａｄｉｏ  Ａｃｃｅｓｓ  Ｔｅｃｈｎｏｌｏｇｙ）のセルを測定するためには、上述の測定用ギャップが必要となる。
【００１１】
ここで、無線基地局ｅＮＢに対する測定報告の送信が遅れると、ＣＳ発着信時間が長くなり、ユーザ体感上望ましくない。
【００１２】
また、ＬＴＥ方式のＲｅｌｅａｓｅ８では、図７（ａ）及び図７（ｂ）に示す２種類の測定用ギャップのパターンが定義されている。
【先行技術文献】
【非特許文献】
【００１３】
【非特許文献１】３ＧＰＰ  ＴＳ３６.３３１  ｖ８.６.０
【非特許文献２】３ＧＰＰ  ＴＳ３６.３０４  ｖ８.６.０
【発明の概要】
【発明が解決しようとする課題】
【００１４】
しかしながら、ＬＴＥ方式のＲｅｌｅａｓｅ８で定義されている測定用ギャップのパターンでは、図７（ａ）及び図７（ｂ）に示すように、測定用ギャップのｄｕｔｙ比が低い（６/４０又は６/８０）ため、ハンドオーバ候補のセルの測定に長い時間がかかるという問題点があった。
【００１５】
また、ＬＴＥ方式の移動通信システムでは、ＣＧＩを含むＳＩＢ１の送信周期は、８０ｍｓであり、かかるＳＩＢ１は、８０ｍｓ内に２０ｍｓ周期で４回繰り返し送信されるように構成されている。
【００１６】
したがって、移動局ＵＥは、８０ｍｓ内に４回繰り返し送信されたＳＩＢ１について、ソフトコンバイニング（Ｓｏｆｔ  Ｃｏｍｂｉｎｉｎｇ）処理を施して受信することができる。
【００１７】
しかしながら、図７（ａ）及び図７（ｂ）に示す測定用ギャップのパターンでは、移動局ＵＥにおけるＳＩＢ１の受信タイミングが、必ず移動局ＵＥにおける「Ｏｎ  Ｄｕｒａｔｉｏｎ（接続中の無線基地局ｅＮＢからの情報を受信する期間）」と重なってしまう場合があり、かかる場合には、移動局ＵＥが、ＳＩＢ１を受信することができないという問題があった。
【００１８】
そこで、ＬＴＥ方式のＲｅｌｅａｓｅ９では、長い測定用ギャップを設けようとする動きがある。
【００１９】
例えば、１秒オーダーといった長い測定用ギャップを設けて、移動局ＵＥは、かかる測定用ギャップにおいて、ＣＧＩの受信や異ＲＡＴセルの測定を行うことが考えられる。
【００２０】
図８に、かかる測定用ギャップを設けた場合のハンドオーバの動作について示し、図９に、かかる測定用ギャップを設けた場合のＣＳＦＢの動作について示す。
【００２１】
しかしながら、図８及び図９に示すように、測定用ギャップが長すぎると、この間に、上り同期が外れてしまい、移動局ＵＥによる測定報告の送信時に、ＲＡＣＨ手順からやり直す必要がある（図８のステップＳ１０１９〜Ｓ１０１２及び図９のステップＳ２０１６〜Ｓ２０１９を参照）。
【００２２】
具体的には、移動局ＵＥは、ＴＡ（Ｔｉｍｉｎｇ  Ａｄｖａｎｃｅ）コマンドを受信した時点で、ＴＡタイマを起動して、再度、ＴＡコマンドを受信することなく、ＴＡタイマが満了すると、上り同期が外れたものと判断して、以降の上り信号の送信時に、上り同期を取るために、ＲＡＣＨ手順から開始する必要がある。
【００２３】
ＲＡＣＨ手順は、複数の移動局ＵＥ間の衝突が生じ得るため、ＲＡＣＨ手順が成功するまでに長い時間がかかる可能性がある。そして、ＲＡＣＨ手順が長引いてしまうと、ハンドオーバ処理やＣＳＦＢ手順が遅れてしまうことが懸念される。
【００２４】
そこで、本発明は、上述の課題に鑑みてなされたものであり、ハンドオーバ処理やＣＳＦＢ手順において、ハンドオーバ先のセルやＣＳＦＢ先のセルを特定しつつ遅延を防ぐことができる移動通信システム、移動局及び無線基地局を提供することを目的とする。
【課題を解決するための手段】
【００２５】
本発明の第１の特徴は、第１セルにおいて接続中の移動局と、該第１セルを管理する第１無線基地局と、第２セルを管理する第２無線基地局とを具備している移動通信システムであって、前記第１無線基地局及び前記第２無線基地局は、所定周期で、配下のセルにおいて所定情報を繰り返し送信するように構成されている送信部を具備し、前記第１無線基地局は、前記移動局における測定用ギャップを決定するように構成されている測定用ギャップ決定部とを具備し、前記移動局は、前記測定用ギャップにおいて、前記第２セルにおいて繰り返し送信されている所定情報を受信するように構成されている受信部と、所定タイマが満了するまでに、タイミング調整情報を受信しない場合、上り同期が外れたものと判断するように構成されている上り同期管理部とを具備しており、前記測定用ギャップの長さは、前記所定周期以上で、かつ、前記所定タイマが満了するまでの時間未満であることを要旨とする。
【００２６】
本発明の第２の特徴は、第１セルにおいて接続中の移動局であって、前記第１セルを管理する第１無線基地局によって決定された測定用ギャップにおいて、第２セルにおいて繰り返し送信されている所定情報を受信するように構成されている受信部と、所定タイマが満了するまでに、タイミング調整情報を受信しない場合、上り同期が外れたものと判断するように構成されている上り同期管理部とを具備しており、前記測定用ギャップの長さは、前記所定周期以上で、かつ、前記所定タイマが満了するまでの時間未満であることを要旨とする。
【００２７】
本発明の第３の特徴は、無線基地局であって、所定周期で、配下のセルにおいて所定情報を繰り返し送信するように構成されている送信部と、配下のセルにおいて接続中の移動局における測定用ギャップを決定するように構成されている測定用ギャップ決定部とを具備し、前記測定用ギャップの長さは、前記所定周期以上で、かつ、前記移動局によって上り同期を維持するために用いられている所定タイマが満了するまでの時間未満であることを要旨とする。
【発明の効果】
【００２８】
以上説明したように、本発明によれば、ハンドオーバ処理やＣＳＦＢ手順において、ハンドオーバ先のセルやＣＳＦＢ先のセルを特定しつつ遅延を防ぐことができる移動通信システム、移動局及び無線基地局を提供することができる。
【図面の簡単な説明】
【００２９】
【図１】本発明の第１の実施形態に係る移動通信システムの全体構成図である。
【図２】本発明の第１の実施形態に係る無線基地局の機能ブロック図である。
【図３】本発明の第１の実施形態に係る無線基地局によって決定される測定用ギャップの一例を示す図である。
【図４】本発明の第１の実施形態に係る移動局の機能ブロック図である。
【図５】本発明の第１の実施形態に係る移動通信システムの動作を示すシーケンス図である。
【図６】本発明の第１の実施形態に係る移動通信システムの動作を示すシーケンス図である。
【図７】従来の移動通信システムで用いられている測定用ギャップの一例を示す図である。
【図８】従来の移動通信システムの動作を示すシーケンス図である。
【図９】従来の移動通信システムの動作を示すシーケンス図である。
【発明を実施するための形態】
【００３０】
（本発明の第１の実施形態に係る移動通信システム）
図１乃至図４を参照して、本発明の第１の実施形態に係る移動通信システムについて説明する。
【００３１】
図１に示すように、本実施形態に係る移動通信システムには、ＬＴＥ方式の移動通信システムと、ＷＣＤＭＡ方式の移動通信システムとが混在している。
【００３２】
ＬＴＥ方式の移動通信システムは、交換局ＭＭＥと、無線基地局ｅＮＢ＃１、ｅＮＢ＃２とを具備しており、ＷＣＤＭＡ方式の移動通信システムは、交換局ＳＧＳＮと、無線回線制御局ＲＮＣと、無線基地局ＮＢ＃１とを具備している。
【００３３】
無線基地局ｅＮＢ＃１配下のセル＃１で用いられる周波数と、無線基地局ｅＮＢ＃２配下のセル＃２で用いられる周波数と、無線基地局ＮＢ＃１配下のセル＃３で用いられる周波数とは、異なってもよいし、同一であってもよい。また、本実施形態では、移動局ＵＥは、セル＃１において接続中であるものとする。
【００３４】
無線基地局ｅＮＢ＃１の機能と無線基地局ｅＮＢ＃２の機能とは、基本的に同一であるため、以下、代表して、無線基地局ｅＮＢの機能として説明する。
【００３５】
図２に示すように、無線基地局ｅＮＢは、測定用ギャップ決定部１１と、送信部１２と、受信部１３と、ハンドオーバ処理部１４と、コネクション設定部１５とを具備している。
【００３６】
測定用ギャップ決定部１１は、無線基地局ｅＮＢ配下のセルにおいて接続中の移動局ＵＥにおける測定用ギャップ（Ｍｅａｓｕｒｅｍｅｎｔ  Ｇａｐ）を決定するように構成されている。
【００３７】
例えば、測定用ギャップ決定部１１は、図３に示すように、測定用ギャップの長さが、報知情報（ＳＩＢ１）の送信周期（所定周期）である８０ｍｓ以上で、かつ、ＴＡタイマが満了するまでの時間未満となるように、接続中の移動局ＵＥにおける測定用ギャップを決定するように構成されている。
【００３８】
送信部１２は、無線基地局ｅＮＢ配下のセルにおいて報知情報を送信したり、無線基地局ｅＮＢ配下のセルにおいて接続中の移動局ＵＥに対して個別情報や共通情報を送信したりするように構成されている。
【００３９】
例えば、送信部１２は、所定周期（具体的には、８０ｍｓ）で、配下のセルにおいて報知情報であるＳＩＢ１を繰り返し送信するように構成されている。
【００４０】
或いは、送信部１２は、無線基地局ｅＮＢ配下のセルにおいて接続中の移動局ＵＥに対して、測定用ギャップ決定部１１によって決定された測定用ギャップを含む測定制御情報（Ｍｅｓｕｒｅｍｅｎｔ  Ｃｏｎｔｒｏｌ）を送信するように構成されている。
【００４１】
受信部１３は、無線基地局ｅＮＢ配下のセルにおいて接続中の移動局ＵＥによって送信された情報を受信するように構成されている。
【００４２】
例えば、受信部１３は、無線基地局ｅＮＢ配下のセルにおいて接続中の移動局ＵＥによって送信された測定報告等を受信するように構成されている。
【００４３】
ハンドオーバ処理部１４は、無線基地局ｅＮＢ配下のセルにおいて接続中の移動局ＵＥの他の無線基地局配下のセルへのハンドオーバ処理や、他の無線基地局配下のセルにおいて接続中の移動局ＵＥの無線基地局ｅＮＢ配下のセルへのハンドオーバ処理を行うように構成されている。
【００４４】
コネクション設定部１５は、配下のセルにおける移動局ＵＥとの間のコネクションの設定処理を行うように構成されている。
【００４５】
図４に示すように、移動局ＵＥは、受信部２１と、送信部２２と、測定部２３と、上り同期管理部２４と、ＲＡＣＨ手順実行部２５と、ハンドオーバ処理部２６と、コネクション設定部２７と、判定部２８とを具備している。
【００４６】
受信部２１は、接続中のセル＃１において送信されている個別情報や共通情報を受信するように構成されている。
【００４７】
或いは、受信部２１は、測定制御情報によって指定された測定用ギャップにおいて、測定制御情報によって指定されたセル＃２或いはセル＃３において繰り返し送信されている所定情報を受信するように構成されている。
【００４８】
例えば、受信部２１は、所定情報として、報知情報であるＳＩＢ１や、パイロット信号等を受信するように構成されている。
【００４９】
送信部２２は、移動局ＵＥが接続中のセル＃１を管理する無線基地局ｅＮＢ＃１に対して、各種情報を送信するように構成されている。
【００５０】
例えば、送信部２２は、後述する測定部２３による測定結果を含む測定報告を送信するように構成されている。
【００５１】
また、送信部２２は、受信部２１によって受信されたＳＩＢ１に含まれている「ＣＧＩ」を、かかる測定報告に含めて、移動局ＵＥが接続中のセル＃１を管理する無線基地局ｅＮＢ＃１に送信するように構成されていてもよい。
【００５２】
また、送信部２２は、後述する判定部２８から通知された「ＡＩ（Ａｃｃｅｓｓｉｂｉｌｉｔｙ  Ｉｎｄｉｃａｔｏｒ）」を、かかる測定報告に含めて、移動局ＵＥが接続中のセル＃１を管理する無線基地局ｅＮＢ＃１に送信するように構成されていてもよい。
【００５３】
測定部２３は、受信部２１によって受信された測定制御情報によって指定されている隣接セルの測定を行うように構成されている。
【００５４】
ここで、測定部２３は、移動局ＵＥが接続中のセル＃１の周波数と異なる周波数が用いられているセルについては、受信部２１によって受信された測定制御情報によって指定されている測定用ギャップにおいて測定するように構成されている。
【００５５】
上り同期管理部２４は、移動局ＵＥと無線基地局ＵＥ＃１との間の上り同期が取られているか否かについて管理するように構成されている。
【００５６】
ここで、上り同期管理部２４は、かかる上り同期を維持するために、ＴＡタイマ（所定タイマ）を用いるように構成されている。
【００５７】
具体的には、上り同期管理部２４は、ＴＡコマンド（タイミング調整情報）を受信した場合に、ＴＡタイマを起動し、ＴＡタイマが満了するまでに、再度、ＴＡコマンドを受信しない場合、上り同期が外れたものと判断するように構成されている。
【００５８】
ＲＡＣＨ手順実行部２５は、上り同期が外れている際に、無線基地局ｅＮＢ＃１に対して送信すべき情報が発生した場合、ＲＡＣＨ（Ｒａｎｄｏｍ  Ａｃｃｅｓｓ  Ｃｈａｎｎｅｌ）手順を行うように構成されている。
【００５９】
ハンドオーバ処理部２６は、セル＃１において接続中の移動局ＵＥの他のセル（セル＃２やセル＃３）へのハンドオーバ処理を行うように構成されている。
【００６０】
コネクション設定部２７は、各セル（セル＃１乃至＃３）におけるコネクションの設定処理を行うように構成されている。
【００６１】
判定部２８は、受信部２１によって受信された報知情報に基づいて、移動局ＵＥのセル＃２に対するアクセス権の有無を判定するように構成されている。
【００６２】
具体的には、判定部２８は、受信部２１によって受信されたＳＩＢ１に含まれている「ＣＳＧ-ＩＤ（Ｃｌｏｓｅｄ  Ｓｕｂｓｃｒｉｂｅｒ  Ｇｒｏｕｐ  Ｉｄｅｎｔｉｆｉｃａｔｉｏｎ）」が、移動局ＵＥの「ａｌｌｏｗｅｄ  ＣＳＧ  ｌｉｓｔ」に含まれているか否かについて判定し、かかる判定結果を示す「ＡＩ」を生成して送信部２２に通知するように構成されている。
【００６３】
以下、図５及び図６を参照して、本実施形態に係る移動通信システムの動作について説明する。
【００６４】
第１に、図５を参照して、本実施形態に係る移動通信システムにおいて、移動局ＵＥがセル＃１からセル＃２にハンドオーバする場合の動作について説明する。
【００６５】
図５に示すように、ステップＳ１０１において、移動局ＵＥは、接続中のセル＃１を管理する無線基地局ｅＮＢ＃１に対して、ＰＵＣＣＨ（Ｐｈｙｓｉｃａｌ  Ｕｐｌｉｎｋ  Ｃｏｎｔｒｏｌ  Ｃｈａｎｎｅｌ）を介して、上り制御信号を送信する。
【００６６】
ステップＳ１０２において、無線基地局ｅＮＢ＃１は、移動局ＵＥに対して、ＴＡコマンドを送信する。ここで、移動局ＵＥは、かかるＴＡコマンドを受信した場合に、ＴＡタイマを起動する。
【００６７】
ステップＳ１０３において、移動局ＵＥは、測定制御情報によって指定されている隣接セル（例えば、セル＃２）の測定結果を含む測定報告を、無線基地局ｅＮＢ＃１に送信する。かかる測定報告内では、隣接セルは、ＰＣＩによって特定されている。
【００６８】
ステップＳ１０４において、無線基地局ｅＮＢ＃１は、移動局ＵＥに対して、測定用ギャップを含む測定制御情報を送信する。
【００６９】
ステップＳ１０５において、無線基地局ｅＮＢ＃２は、配下のセル＃２において、ＢＣＣＨを介して、ＳＩＢ１を送信し、ステップＳ１０６において、移動局ＵＥは、測定用ギャップにおいて、セル＃２において送信されているＳＩＢ１を受信して、かかるＳＩＢ１に含まれている「ＣＧＩ」及び「ＣＳＧ-ＩＤ」を取得する。
【００７０】
ここで、ＳＩＢ１が、２０ｍｓ周期で繰り返し送信されており、測定用ギャップの長さが、８０ｍｓであるため、移動局ＵＥにおけるＳＩＢ１の受信タイミングが、必ず移動局ＵＥの「Ｏｎ  Ｄｕｒａｔｉｏｎ」に重なってしまうという不具合は発生しない。
【００７１】
ステップＳ１０７において、移動局ＵＥは、無線基地局ｅＮＢ＃１に対して、ＰＵＣＣＨを介して、上り制御信号を送信する。
【００７２】
ステップＳ１０８において、無線基地局ｅＮＢ＃１は、移動局ＵＥに対して、ＴＡコマンドを送信する。ここで、移動局ＵＥは、かかるＴＡコマンドを受信した場合に、ＴＡタイマを再起動する。
【００７３】
ステップＳ１０９において、無線基地局ｅＮＢ＃２は、配下のセル＃２において、ＢＣＣＨを介して、ＳＩＢ１を送信し、ステップＳ１１０において、移動局ＵＥは、測定用ギャップにおいて、セル＃２において送信されているＳＩＢ１を受信して、かかるＳＩＢ１に含まれている「ＣＧＩ」及び「ＣＳＧ-ＩＤ」を取得する。
【００７４】
ステップＳ１１１において、移動局ＵＥは、無線基地局ｅＮＢ＃１に対して、ＰＵＣＣＨを介して、上り制御信号を送信する。
【００７５】
ステップＳ１１２において、無線基地局ｅＮＢ＃１は、移動局ＵＥに対して、ＴＡコマンドを送信する。ここで、移動局ＵＥは、かかるＴＡコマンドを受信した場合に、ＴＡタイマを再起動する。
【００７６】
ステップＳ１１３において、無線基地局ｅＮＢ＃２は、配下のセル＃２において、ＢＣＣＨを介して、ＳＩＢ１を送信し、ステップＳ１１４において、移動局ＵＥは、測定用ギャップにおいて、セル＃２において送信されているＳＩＢ１を受信して、かかるＳＩＢ１に含まれている「ＣＧＩ」及び「ＣＳＧ-ＩＤ」を取得する。
【００７７】
ここで、移動局ＵＥは、ステップＳ１０６、Ｓ１１０及びＳ１１４のそれぞれで受信したＳＩＢ１についてソフトコンバイニング処理を施した後に、「ＣＧＩ」及び「ＣＳＧ-ＩＤ」を取得してもよい。
【００７８】
測定用ギャップの長さが、８０ｍｓであるため、移動局ＵＥにおいてソフトコンバイニング処理による受信が可能となり、受信成功確率が向上し、カバレッジを拡大することができる。
【００７９】
ステップＳ１１５において、移動局ＵＥは、ステップＳ１０４で指定された測定用ギャップを解放する。
【００８０】
移動局ＵＥ側で、自律的に測定用ギャップを解放することで、無線基地局ｅＮＢ＃１からの制御信号を削減することができる。また、ハンドオーバコマンド（ＨＯ  Ｃｏｍｍａｎｄ）の受信に備えることができる。
【００８１】
ステップＳ１１６において、移動局ＵＥは、無線基地局ｅＮＢ＃１に対して、ＰＵＣＣＨを介して、スケジューリング要求信号（Ｓｃｈｅｄｕｌｉｎｇ  Ｒｅｑｕｅｓｔ）を送信する。
【００８２】
ステップＳ１１７において、無線基地局ｅＮＢ＃１は、移動局ＵＥに対して、ＰＤＣＣＨ（Ｐｈｙｓｉｃａｌ  Ｄｏｗｎｌｉｎｋ  Ｃｏｎｔｒｏｌ  Ｃｈａｎｎｅｌ）を介して、上りリンクにおけるリソース割り当て情報を送信する。
【００８３】
ステップＳ１１８において、移動局ＵＥは、無線基地局ｅＮＢ＃１に対して、上述の隣接セル（例えば、セル＃２）についての「ＣＧＩ」及び「ＡＩ」を含む測定報告を送信する。
【００８４】
ステップＳ１１９において、無線基地局ｅＮＢ＃１は、測定報告に含まれる測定結果及び「ＡＩ」に基づいて、移動局ＵＥがハンドオーバすべきであるか否かについて判定する。
【００８５】
例えば、無線基地局ｅＮＢ＃１は、セル＃２の無線品質が所定条件を満たし、かつ、移動局ＵＥがセル＃２に対してアクセス権を有している場合、移動局ＵＥがセル＃１からセル＃２に対してハンドオーバすべきであると判定する。
【００８６】
一方、無線基地局ｅＮＢ＃１は、セル＃２の無線品質が所定条件を満たしているが、移動局ＵＥがセル＃２に対してアクセス権を有していない場合、移動局ＵＥをセル＃１やセル＃２と異なる周波数が用いられている他のセルに対してハンドオーバさせる等の干渉対策を採用してもよい。
【００８７】
ステップＳ１２０において、移動局ＵＥは、無線基地局ｅＮＢ＃１に対して、ＰＵＣＣＨを介して、上り制御信号を送信し、ステップＳ１２１において、無線基地局ｅＮＢ＃１は、交換局ＭＭＥに対して、「ＨＯ  Ｒｅｑｕｉｒｅｄ」を送信する。
【００８８】
ステップＳ１２２において、無線基地局ｅＮＢ＃１は、移動局ＵＥに対して、ＴＡコマンドを送信する。ここで、移動局ＵＥは、かかるＴＡコマンドを受信した場合に、ＴＡタイマを再起動する。
【００８９】
交換局ＭＭＥは、ステップＳ１２３において、移動局ＵＥがセル＃２に対してアクセス権を有しているか否かについて判定し、移動局ＵＥがセル＃２に対してアクセス権を有していると判定した場合に、ステップＳ１２４において、セル＃２を管理する無線基地局ｅＮＢ＃２に対して「ＨＯ  Ｐｒｅｐａｒａｔｉｏｎ」を送信する。
【００９０】
ステップＳ１２５において、無線基地局ｅＮＢ＃２は、交換局ＭＭＥに対して「ＨＯ  Ｐｒｅｐａｒａｔｉｏｎ  Ａｃｋ」を送信し、ステップＳ１２６において、交換局ＭＭＥは、無線基地局ｅＮＢ＃１に対して「ＨＯ  Ｒｅｑｕｉｒｅｄ  Ａｃｋ」を送信する。
【００９１】
ステップＳ１２７において、無線基地局ｅＮＢ＃１は、移動局ＵＥに対して「ＨＯ  Ｃｏｍｍａｎｄ」を送信し、ステップＳ１２８において、移動局ＵＥは、無線基地局ｅＮＢ＃２に対して「ＨＯ  Ｃｏｍｐｌｅｔｅ」を送信する。
【００９２】
ステップＳ１２９において、無線基地局ｅＮＢ＃２は、交換局ＭＭＥに対して「Ｐａｔｈ  Ｓｗｉｔｃｈ」を送信し、ステップＳ１３０において、交換局ＭＭＥは、無線基地局ｅＮＢ＃２に対して「Ｐａｔｈ  Ｓｗｉｔｃｈ  Ａｃｋ」を送信する。
【００９３】
ステップＳ１３１において、交換局ＭＭＥは、無線基地局ｅＮＢ＃１に対して「Ｒｅｌｅａｓｅ  Ｒｅｓｏｕｒｃｅ」を送信する。
【００９４】
第２に、図６を参照して、本実施形態に係る移動通信システムにおいて、移動局ＵＥがセル＃１からセル＃３にＣＳＦＢする場合の動作について説明する。
【００９５】
図６に示すように、ステップＳ２０１において、移動局ＵＥは、接続中のセル＃１を管理する無線基地局ｅＮＢ＃１に対して「ＲＡ  Ｐｒｅａｍｂｌｅ」を送信し、ステップＳ２０２において、無線基地局ｅＮＢ＃１は、移動局ＵＥに対して「ＲＡ  Ｒｅｓｐｏｎｓｅ（ＴＡ）」を送信する。ここで、移動局ＵＥは、かかる「ＲＡ  Ｒｅｓｐｏｎｓｅ（ＴＡ）」を受信した場合に、ＴＡタイマを再起動する。
【００９６】
ステップＳ２０３において、移動局ＵＥは、無線基地局ｅＮＢ＃１に対して「ＲＲＣ  Ｃｏｎｎｅｃｔｉｏｎ  Ｒｅｑｕｅｓｔ」を送信し、ステップＳ２０４において、無線基地局ｅＮＢ＃１は、移動局ＵＥに対して「ＲＲＣ  Ｃｏｎｎｅｃｔｉｏｎ  Ｓｅｔｕｐ」を送信する。
【００９７】
ステップＳ２０５において、移動局ＵＥは、無線基地局ｅＮＢ＃１に対して、「ＮＡＳ  Ｅｘｔｅｎｄｅｄ  Ｓｅｒｖｉｃｅ  Ｒｅｑｕｅｓｔ」を含む「ＲＲＣ  Ｃｏｎｎｅｃｔｉｏｎ  Ｒｅｑｕｅｓｔ」を送信する。
【００９８】
ステップＳ２０６において、無線基地局ｅＮＢ＃１は、交換局ＭＭＥに対して、「ＮＡＳ  Ｅｘｔｅｎｄｅｄ  Ｓｅｒｖｉｃｅ  Ｒｅｑｕｅｓｔ」を含む「ＲＲＣ  Ｃｏｎｎｅｃｔｉｏｎ  Ｒｅｑｕｅｓｔ」を送信する。
【００９９】
ステップＳ２０７において、交換局ＭＭＥは、無線基地局ｅＮＢ＃１に対して「Ｓ１  Ｉｎｉｔｉａｌ  Ｃｏｎｔｅｘｔ  Ｓｅｔｕｐ（ＣＳＦＢ）」を送信する。
【０１００】
無線基地局ｅＮＢ＃１は、移動局ＵＥに対して、ステップＳ２０８において、「ＲＲＣ  ＳＭＣ」を送信し、ステップＳ２０９において、「ＲＲＣ  Ｒｅｃｏｎｆｉｇｕｒａｔｉｏｎ」を送信する。
【０１０１】
移動局ＵＥは、無線基地局ｅＮＢ＃１に対して、ステップＳ２１０において、「ＲＲＣ  ＳＭＣ  Ｃｏｍｐｌｅｔｅ」を送信し、ステップＳ２１１において、「ＲＲＣ  Ｒｅｃｏｎｆｉｇｕｒａｔｉｏｎ  Ｃｏｍｐｌｅｔｅ」を送信する。
【０１０２】
ステップＳ２１２において、無線基地局ｅＮＢ＃１は、交換局ＭＭＥに対して「Ｓ１  Ｓｅｔｕｐ  Ｃｏｍｏｌｅｔｅ」を送信する。
【０１０３】
ステップＳ２１３において、移動局ＵＥは、測定制御情報によって指定されている測定用ギャップにおいて、隣接セルをサーチし、隣接セルの測定を行う。
【０１０４】
ステップＳ２１４において、移動局ＵＥは、無線基地局ｅＮＢ＃１に対して、ＰＵＣＣＨを介して、上り制御信号を送信する。
【０１０５】
ステップＳ２１５において、無線基地局ｅＮＢ＃１は、移動局ＵＥに対して、ＴＡコマンドを送信する。ここで、移動局ＵＥは、かかるＴＡコマンドを受信した場合に、ＴＡタイマを再起動する。
【０１０６】
ステップＳ２１６において、移動局ＵＥは、測定制御情報によって指定されている測定用ギャップにおいて、隣接セルをサーチし、隣接セルの測定を行う。
【０１０７】
ステップＳ２１７において、移動局ＵＥは、無線基地局ｅＮＢ＃１に対して、ＰＵＣＣＨを介して、上り制御信号を送信する。
【０１０８】
ステップＳ２１８において、無線基地局ｅＮＢ＃１は、移動局ＵＥに対して、ＴＡコマンドを送信する。ここで、移動局ＵＥは、かかるＴＡコマンドを受信した場合に、ＴＡタイマを再起動する。
【０１０９】
ステップＳ２１９において、移動局ＵＥは、測定制御情報によって指定されている測定用ギャップにおいて、隣接セルをサーチし、隣接セルの測定を行い、ステップＳ２２０において、移動局ＵＥは、かかる測定用ギャップを解放する。
【０１１０】
移動局ＵＥ側で、自律的に測定用ギャップを解放することで、無線基地局ｅＮＢ＃１からの制御信号を削減することができる。また、ハンドオーバコマンド（ＭｏｂｉｌｉｔｙＦｒｏｍＥＵＴＲＡ）の受信に備えることができる。
【０１１１】
ステップＳ２２１において、移動局ＵＥは、無線基地局ｅＮＢ＃１に対して、ＰＵＣＣＨを介して、スケジューリング要求信号（Ｓｃｈｅｄｕｌｉｎｇ  Ｒｅｑｕｅｓｔ）を送信する。
【０１１２】
ステップＳ２２２において、無線基地局ｅＮＢ＃１は、移動局ＵＥに対して、ＰＤＣＣＨを介して、上りリンクにおけるリソース割り当て情報を送信する。
【０１１３】
ステップＳ２２３において、移動局ＵＥは、無線基地局ｅＮＢ＃１に対して、上述の隣接セル（例えば、セル＃２）についてのセルＩＤ及び無線品質を含む測定報告を送信する。
【０１１４】
ここで、無線基地局ｅＮＢ＃１は、移動局ＵＥがセル＃３に対してアクセス権を有している場合にのみ、移動局ＵＥがセル＃１からセル＃３に対してＣＳＦＢすべきであると判定してもよい。
【０１１５】
ステップＳ２２４において、無線基地局ｅＮＢ＃１は、交換局ＭＭＥに対して「Ｓ１  Ｒｅｌｏｃａｔｉｏｎ  Ｒｅｑｕｉｒｅｄ」を送信し、ステップＳ２２５において、交換局ＭＭＥは、セル＃３を管理する無線基地局ＮＢ＃１が収容されている交換局ＳＧＳＮ及び無線回線制御局ＲＮＣに対して「Ｒｅｌｏｃａｔｉｏｎ  Ｒｅｑｕｉｒｅｄ」を送信する。  
【０１１６】
ステップＳ２２６において、交換局ＳＧＳＮ及び無線回線制御局ＲＮＣは、交換局ＭＭＥに対して「Ｒｅｌｏｃａｔｉｏｎ  Ａｃｋ」を送信し、ステップＳ２２７において、交換局ＭＭＥは、無線基地局ｅＮＢ＃１に対して「Ｓ１  Ｒｅｌｏｃａｔｉｏｎ  Ａｃｋ」を送信する。
【０１１７】
ステップＳ２２８において、無線基地局ｅＮＢ＃１は、移動局ＵＥに対して「ＭｏｂｉｌｉｔｙＦｒｏｍＥＵＴＲＡ」を送信する。
【０１１８】
ステップＳ２２９において、移動局ＵＥのセル＃１からセル＃３への異ＲＡＴ間ハンドオーバ（Ｉｎｔｅｒ-ＲＡＴハンドオーバ）を行い、ステップＳ２３０において、移動局ＵＥとセル＃３との間で、ＣＳ用のＲＡＢ（Ｒａｄｉｏ  Ａｃｃｅｓｓ  Ｂｅａｒｅｒ）を設定する。
【０１１９】
本実施形態に係る移動通信システムによれば、測定用ギャップの長さが、異ＲＡＴセルの測定に必要な所定情報（例えば、ＵＭＴＳ方式やＧＳＭ方式のパイロット信号）の送信周期以上となるように構成されているため、移動局ＵＥにおける所定情報の受信タイミングが、必ず移動局ＵＥの「Ｏｎ  Ｄｕｒａｔｉｏｎ」に重なってしまい、移動局ＵＥが、所定情報を受信することができないという不具合を解消することができる。
【０１２０】
また、本実施形態に係る移動通信システムによれば、測定用ギャップの長さが、ＴＡタイマが満了するまでの時間未満となるように構成されているため、測定用ギャップ期間中に、上り同期が外れてしまい、次の上り信号の送信時に必ずＲＡＣＨ手順を行うことによって、ハンドオーバ処理やＣＳＦＢ手順に遅延が生じてしまうという不具合を解消することができる。
【０１２１】
以上に述べた本実施形態の特徴は、以下のように表現されていてもよい。
【０１２２】
本実施形態の第１の特徴は、セル＃１（第１セル）において接続中の移動局ＵＥと、セル＃１を管理する無線基地局ｅＮＢ＃１（第１無線基地局）と、セル＃２（第２セル）を管理する無線基地局ｅＮＢ＃２（或いは、セル＃３（第２セル）を管理する無線基地局ＮＢ＃１）（第２無線基地局）とを具備している移動通信システムであって、無線基地局ｅＮＢ＃１及び無線基地局ｅＮＢ＃２（或いは、無線基地局ＮＢ＃１）は、所定周期で、配下のセルにおいて所定情報を繰り返し送信するように構成されている送信部１２を具備し、無線基地局ｅＮＢ＃１は、移動局ＵＥにおける測定用ギャップ（Ｍｅａｓｕｒｅｍｅｎｔ  Ｇａｐ）を決定するように構成されている測定用ギャップ決定部１１とを具備し、移動局ＵＥは、測定用ギャップにおいて、セル＃２（或いは、セル＃３）において繰り返し送信されている所定情報を受信するように構成されている受信部２１と、ＴＡタイマ（所定タイマ）が満了するまでに、ＴＡコマンド（タイミング調整情報）を受信しない場合、上り同期が外れたものと判断するように構成されている上り同期管理部２４とを具備しており、  測定用ギャップの長さは、所定周期以上で、かつ、ＴＡタイマが満了するまでの時間未満であることを要旨とする。
【０１２３】
本実施形態の第１の特徴において、受信部２１は、測定用ギャップにおいて、セル＃２において繰り返し送信されている報知情報を受信するように構成されており、移動局ＵＥは、報知情報に含まれている「ＣＧＩ（セルＩＤ）」を含む測定報告（Ｍｅａｓｕｒｅｍｅｎｔ  Ｒｅｐｏｒｔ）を、無線基地局ｅＮＢ＃１に対して送信するように構成されている送信部２２を更に具備してもよい。
【０１２４】
本実施形態の第１の特徴において、移動局ＵＥは、受信部２１によって受信された報知情報に基づいて、移動局ＵＥのセル＃２に対するアクセス権の有無を判定するように構成されている判定部２８を更に具備し、送信部２２は、アクセス権の有無を示す情報（ＡＩ）を含む測定報告を、無線基地局ｅＮＢ＃１に対して送信するように構成されていてもよい。
【０１２５】
本実施形態の第１の特徴において、移動局ＵＥは、測定用ギャップにおいて、受信部２１によって受信された情報に基づいて、セル＃２（或いは、セル＃３）における無線品質を測定するように構成されている測定部２３と、測定結果を含む測定報告を、無線基地局ｅＮＢ＃１に対して送信するように構成されている送信部２２とを更に具備してもよい。
【０１２６】
本実施形態の第２の特徴は、セル＃１において接続中の移動局ＵＥであって、セル＃１を管理する無線基地局ｅＮＢ＃１によって決定された測定用ギャップにおいて、セル＃２（或いは、セル＃３）において繰り返し送信されている所定情報を受信するように構成されている受信部２１と、ＴＡタイマが満了するまでに、ＴＡコマンドを受信しない場合、上り同期が外れたものと判断するように構成されている上り同期管理部２４とを具備しており、測定用ギャップの長さは、所定周期以上で、かつ、ＴＡタイマが満了するまでの時間未満であることを要旨とする。
【０１２７】
本実施形態の第２の特徴において、受信部２１は、測定用ギャップにおいて、セル＃２において繰り返し送信されている報知情報を受信するように構成されており、報知情報に含まれているＣＧＩを含む測定報告を、無線基地局ｅＮＢ＃１に対して送信するように構成されている送信部２２を更に具備してもよい。
【０１２８】
本実施形態の第２の特徴において、受信部２１によって受信された報知情報に基づいて、移動局ＵＥのセル＃２に対するアクセス権の有無を判定するように構成されている判定部２８を更に具備し、送信部２２は、アクセス権の有無を示す情報を含む測定報告を、無線基地局ｅＮＢ＃１に対して送信するように構成されていてもよい。
【０１２９】
本実施形態の第２の特徴において、測定用ギャップにおいて、受信部２１によって受信された情報に基づいて、セル＃２（或いは、セル＃３）における無線品質を測定するように構成されている測定部２３と、測定結果を含む測定報告を、無線基地局ｅＮＢ＃１に対して送信するように構成されている送信部２２とを更に具備してもよい。
【０１３０】
本実施形態の第３の特徴は、無線基地局ｅＮＢであって、所定周期で、配下のセルにおいて所定情報を繰り返し送信するように構成されている送信部１２と、  配下のセルにおいて接続中の移動局ＵＥにおける測定用ギャップを決定するように構成されている測定用ギャップ決定部１１とを具備し、測定用ギャップの長さは、所定周期以上で、かつ、移動局ＵＥによって上り同期を維持するために用いられているＴＡタイマが満了するまでの時間未満であることを要旨とする。
【０１３１】
本実施形態の第３の特徴において、前記測定報告を開始する際に測定用ギャップを自律的に解放するように構成されていてもよい。
【０１３２】
なお、上述の無線基地局ｅＮＢ/ＮＢや移動局ＵＥや交換局ＭＭＥ/ＳＧＳＮの動作は、ハードウェアによって実施されてもよいし、プロセッサによって実行されるソフトウェアモジュールによって実施されてもよいし、両者の組み合わせによって実施されてもよい。
【０１３３】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【０１３４】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、無線基地局ｅＮＢ/ＮＢや移動局ＵＥや交換局ＭＭＥ/ＳＧＳＮ内に設けられていてもよい。また、かかる記憶媒体及びプロセッサは、ディスクリートコンポーネントとして無線基地局ｅＮＢ/ＮＢや移動局ＵＥや交換局ＭＭＥ/ＳＧＳＮ内に設けられていてもよい。
【０１３５】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【０１３６】
ｅＮＢ…無線基地局
ＵＥ…移動局
１１…測定用ギャップ決定部
１２、２２…送信部
１３、２１…受信部
１４、２６…ハンドオーバ処理部
１５、２７…コネクション設定部
２３…測定部
２４…上り同期管理部
２５…ＲＡＣＨ手順実行部
２８…判定部
【図１】
2011024144.tif 000003
【図２】
2011024144.tif 000004
【図３】
2011024144.tif 000005
【図４】
2011024144.tif 000006
【図５】
2011024144.tif 000007
【図６】
2011024144.tif 000008
【図７】
2011024144.tif 000009
【図８】
2011024144.tif 000010
【図９】
2011024144.tif 000011